(57)【特許請求の範囲】
【請求項１】
ある量の消毒液で洗浄するためのレンズケア容器であって、前記レンズケア容器は、
外径を備えるリムによって囲まれた開口部を通りアクセス可能な内部チャンバを画定する容器カップ（１００）であって、前記ある量の消毒液を保持するよう構成された容器カップ（１００）と、
前記開口部を覆うために前記容器カップ（１００）に取り外し可能に取り付けることができるキャップ（２０）であって、前記キャップは、上部パネル（２１）、連結ハブ（２６）、および前記上部パネルから横に延在する内径を有するカラー（２４）を備え、前記内径は、前記容器カップの外径を受け入れるよう構成され、前記上部パネルは、偏向領域（２７）内に配置された圧力解放口（２３）を備え、前記連結ハブは、前記上部パネルから延在するとともに、回転防止機構（４２）および少なくとも１つのチャネル通気口（２８）によって囲まれた内部ガス抜き通路（３７）を画定する、キャップ（２０）と、
レンズホルダー（３０）であって、前記レンズホルダーに対する前記キャップ（２０）の回転を防止するために、前記キャップの回転防止機構（４２）と協働する回転防止機構（３８）を有するステム（３３）と、前記キャップおよびレンズホルダーが前記容器カップ（１００）内に収容される場合に、前記キャップの圧力解放口（２３）に密封可能に係合するシール（３５）とを有するレンズホルダー（３０）と、
を備え、
前記消毒液から発生したある量のガスが、前記少なくとも１つのチャネル通気口（２８）を通り前記内部ガス抜き通路（３７）に入り、前記偏向領域（２７）に対して力を加え、前記キャップの圧力解放口（２３）から前記レンズホルダーのシール（３５）が外れて、ある量のガスが前記キャップの圧力解放口を通り排出されるようになっており、
前記偏向領域（２７）が、前記内部ガス抜き通路（３７）から窪んだ厚みの薄い環状リングによって画定されている、レンズケア容器。
【請求項２】
前記キャップの圧力解放口（２３）が前記上部パネル（２１）を通り延在する開口部を備え、かつ前記レンズホルダーのシール（３５）が前記ステム（３３）から延在するドーム（３９）を備え、前記ドームが前記圧力解放口の前記開口部に密封可能に係合する、請求項１に記載のレンズケア容器。
【請求項３】
前記レンズホルダーのシール（３５）が前記ドーム（３９）を囲む面取りリング（４１）を備え、かつ前記キャップの開口（２３）が前記内部ガス抜き通路（３７）に面する漏斗状の口を備え、前記漏斗状の口が前記ドームおよび前記面取りリングを受容する、請求項２に記載のレンズケア容器。
【請求項４】
前記レンズホルダーのステム（３３）が前記内部ガス抜き通路（３７）に位置合わせされた少なくとも２つの通路を備え、前記少なくとも１つのチャネル通気口（２８）を通るガスの自由な通過を可能にする、請求項１に記載のレンズケア容器。
【請求項５】
前記少なくとも２つの通路が少なくとも２つの交差するプレートによって画定されている、請求項４に記載のレンズケア容器。
【請求項６】
前記少なくとも２つの交差するプレートが前記レンズホルダーのシール（３５）を支持する、請求項５に記載のレンズケア容器。
【請求項７】
前記キャップの回転防止機構（４２）が配向キーを備え、かつ前記レンズホルダーの回転防止機構（３８）が配向キーレシーバを備える、請求項１に記載のレンズケア容器。
【請求項８】
前記キャップの連結ハブ（２６）が前記内部ガス抜き通路（３７）内に突出するスナップリングを備え、かつ前記レンズホルダーのステム（３３）が前記スナップリングを受け入れるスナップ溝（４３）を備える、請求項１に記載のレンズケア容器。
【請求項９】
前記スナップリングが隆起部を備える、請求項８に記載のレンズケア容器。
【請求項１０】
触媒（４０）を支持する触媒キャリアをさらに備える、請求項１に記載のレンズケア容器。
【請求項１１】
前記レンズホルダー（３０）が一対の再配置可能なレンズバスケット（３２）をさらに備える、請求項１に記載のレンズケア容器。
【請求項１２】
前記レンズホルダー（３０）が前記一対のレンズバスケット（３２）および前記ステム（３３）の間に延在するネック（３４）をさらに備える、請求項１１に記載のレンズケア容器。
【請求項１３】
前記ステム（３３）が前記ネック（３４）および前記ステム（３３）の間に延在する半径方向フランジ（３６）をさらに備え、前記レンズホルダーの回転防止機構（３８）が前記半径方向フランジ内に画定されている、請求項１１に記載のレンズケア容器。
【請求項１４】
前記キャップのカラー（２４）の内径がネジ付き面（２２）を備える、請求項１に記載のレンズケア容器。
【請求項１５】
前記キャップの上部パネル（２１）が前記カラー（２４）内で延在するリム壁（２５）をさらに備え、前記容器カップ（１００）の前記リムが前記キャップのカラーおよび前記キャップのリム壁の間に収容される、請求項１に記載のレンズケア容器。
【請求項１６】
前記キャップ（２０）がモノリシック構造を備える、請求項１に記載のレンズケア容器。
【請求項１７】
前記レンズホルダー（３０）が単一構造を備える、請求項１に記載のレンズケア容器。
【請求項１８】
ある量の消毒液で洗浄するためのレンズケア容器であって、前記レンズケア容器は、
外径を備えるリムによって囲まれた開口部を通りアクセス可能な内部チャンバを画定する容器カップ（１００）であって、前記ある量の消毒液を保持するよう構成された容器カップ（１００）と、
前記開口部を覆うために前記容器カップ（１００）に取り外し可能に取り付けることができるキャップ（２０）であって、前記キャップは、上部パネル（２１）、連結ハブ（２６）、および前記上部パネルから横に延在する内径を有するカラー（２４）を備え、前記内径は、前記容器カップの外径を受け入れるよう構成され、前記上部パネルは、撓む領域（２７）内に配置された圧力解放口（２３）を備え、前記連結ハブは、前記上部パネルから延在するとともに、回転防止機構（４２）および少なくとも１つのチャネル通気口（２８）によって囲まれた内部ガス抜き通路（３７）を画定する、キャップ（２０）と、
レンズホルダー（３０）であって、前記レンズホルダーに対する前記キャップ（２０）の回転を防止するために、前記キャップの回転防止機構（４２）と協働する回転防止機構（３８）を有するステム（３３）と、前記キャップおよびレンズホルダーが前記容器カップ（１００）内に収容される場合に、前記キャップの圧力解放口（２３）に密封可能に係合するシール（３５）とを有するレンズホルダー（３０）と、
を備え、
前記消毒液から発生したある量のガスが、前記少なくとも１つのチャネル通気口（２８）を通り前記内部ガス抜き通路（３７）に入り、前記撓む領域（２７）に対して力を加え、前記キャップの圧力解放口（２３）から前記レンズホルダーのシール（３５）が外れて、ある量のガスが前記キャップの圧力解放口を通り排出されるようにする、レンズケア容器。
【発明の詳細な説明】
【技術分野】
【０００１】
本出願は、ＰＣＴ国際特許出願として２０１６年５月５日に出願されており、その全開示が参考として援用される米国特許出願第１４／７０７，０９７号（２０１５年５月８日出願）の優先権を主張するものである。
【０００２】
本開示は、一般にレンズケアの分野に関し、より詳細には、コンタクトレンズの消毒および保管のための容器に関する。
【背景技術】
【０００３】
様々なスタイルおよび機能性のコンタクトレンズ容器が、コンタクトレンズの保管、洗浄、および/または消毒に利用されている。いくつかのレンズ収納およびケアシステムでは、過酸化水素ベースのレンズケア溶液が使用され、洗浄および/または消毒されるコンタクトレンズは、過酸化水素溶液と接触して一定時間浸され、コンタクトレンズの洗浄および/または消毒を満足のいく程度まで行うことができる。このようなレンズケアシステムで利用されるコンタクトレンズ容器は、典型的には、洗浄されるべきコンタクトレンズを受け入れるために開き、処理中にレンズを保持するために閉じる、閉鎖可能なバスケットを備える。バスケットは、典型的には、コンタクトレンズホルダー部品の一部であり、コンタクトレンズホルダー部品は、例えば、ステムまたはリブを介して、コンタクトレンズ容器のキャップに接続されることができる。キャップが容器カップに置かれる前に、容器カップには、過酸化水素レンズケア溶液が所定の充填レベルまで投与される。例えばカタラーゼの遅延放出を与えるカタラーゼなどの触媒錠剤が、過酸化水素溶液を加える前または後に容器カップに加えることができる。最後に、処理すべきレンズを含むコンタクトレンズホルダーを容器カップの過酸化水素溶液に浸し、キャップを容器カップにねじ込むことによって容器を閉じる。
【０００４】
容器カップ上のキャップの閉鎖は、洗浄液の漏れを防ぐための水密シールを形成することができる。コンタクトレンズは、指定された洗浄および／または消毒プロセスを完了するのに十分な時間、溶液に浸されたままにされる。通常、洗浄液中の過酸化水素の分解によって生成された酸素は、何らかの方法で容器から排出されなければならない。特許文献１および特許文献２などに、酸素の排出を提供する試みが存在する。
【先行技術文献】
【特許文献】
【０００５】
【特許文献１】米国特許第６，９４５，３８９号
【特許文献２】米国特許第８，７５７，３６７号
【発明の概要】
【発明が解決しようとする課題】
【０００６】
コンタクトレンズの洗浄、消毒および保管のためのレンズケアシステムに対する継続的な改良が望まれている。本発明は主に、改良されたレンズケアシステムの提供に対するものである。
【課題を解決するための手段】
【０００７】
本開示の態様は、洗浄液で洗浄するためのレンズケア容器に関する。レンズケア容器は、外径を有するリムによって境界を定められた開口部を介してアクセス可能な内部チャンバを画定する容器カップを含む。容器カップは、レンズ洗浄液を保持するように構成されている。キャップは、開口部を覆うように容器カップに取り外し可能に取り付けることができる。キャップは、上部パネル、連結ハブ、および上部パネルから横方向に延びる内径を有するカラーをさらに含むことができる。内径は、容器カップの外径を受け入れるように構成することができる。上部パネルは、偏向領域内に配置された圧力解放口を含むことができる。連結ハブは、上部パネルから延び、回転防止機構と少なくとも１つのチャンネルによって囲まれた内部ガス抜き通路を画定することができる。レンズホルダーは、キャップの回転防止機構と協働する回転防止機構を有するステムを含むことができる。ステム回転防止機構とキャップの回転防止機構との相互作用により、レンズホルダーに対するキャップの回転を防ぐことができる。レンズホルダーは、キャップとレンズホルダーが容器カップ内に収納されている場合に、キャップの圧力解放口と密封可能に係合できるシールを含むことができる。消毒プロセス中に、洗浄液から生成されたガスの量が、少なくとも１つのチャネル通気口を通って内部ガス抜き経路に入り、偏向領域に対して力を加え、レンズホルダーシールをキャップ圧力解放口から外し、ガスがキャップの圧力解放口を通って排出されるようにする。
【０００８】
本開示の別の態様は、収容容積およびコネクタを有する容器からある量のガスを放出するためのシステムに関する。システムは、容器コネクタに取り外し可能に接続されたベースを含む。ベースは、屈曲領域内に配置された圧力解放口を含む。システムはまた、圧力解放口を離脱可能にシールするためのシールを含む。シールは、圧力解放口から容器の収容容積まで延びるガス抜き通路を含む。ある量のガスがガス抜き通路を通過して、屈曲領域に力を加え、レンズホルダーシールをキャップ圧力解放口から外し、ガスがキャップの圧力解放口を通って排出されるようにする。
【０００９】
本開示のさらに別の態様は、収容容積およびコネクタを含む容器からある量のガスを放出するためのシステムに関する。システムは、ある量のガスを閉じ込めるために容器カップコネクタに取り外し可能に取り付けることができるキャップを含む。キャップは、偏向領域内に配置された圧力解放口を含む上部パネルを含む。システムはまた、圧力解放口を取り外し可能にシールするためのシールと、上部パネルから延びるとともに、少なくとも１つのチャネル通気口で囲まれた内部ガス抜き通路とを含む連結ハブを含む。ある量のガスは、少なくとも１つのチャネル通気口を通って内部ガス抜き通路に入り、偏向領域に対して力を加え、キャップ圧力解放口からレンズホルダーシールを離し、ガスがキャップのガス圧力解放口を通って排出されるようにする。
【図面の簡単な説明】
【００１０】
【図１】本開示の例示的な実施形態によるレンズケアシステムの斜視組立図である。
【図２】図１に示すレンズケアシステムのコンタクトレンズホルダー部品の斜視図である。
【図３】図１のレンズケアシステムのキャップ部品を部分的に切り取った斜視図である。
【図４】図１のレンズケアシステムのキャップ部品の断面斜視図である。
【図５Ａ】図２のコンタクトレンズホルダー部品のシール状態の断面図である。
【図５Ｂ】図５Ａのコンタクトレンズホルダー部品コのシールされていない状態の断面図である。
【図６】図２のコンタクトレンズホルダー部品の分解図である。
【図７】図２のコンタクトレンズホルダー部品の下側分解図である。
【図８】図２のコンタクトレンズホルダー部品のステム及びネックの斜視切欠図である。
【図９】図２のコンタクトレンズホルダー部品のステム及びネックの斜視図である。
【図１０】図２のコンタクトレンズホルダー部品のステム及びネックが取り外されたキャップの斜視図である。
【図１１】図１０のキャップの断面図である。
【図１２】図１０のキャップの底面図である。
【発明を実施するための形態】
【００１１】
本開示は、本開示の一部を形成する添付図面に関連した以下の詳細な説明を参照することにより、より容易に理解され得るだろう。本発明は、本明細書に記載および／または示された特定の装置、方法、条件またはパラメータに限定されず、本明細書で使用される用語は単なる例示としての特定の実施形態を説明する目的のものであり、クレームされた発明の限定を意図するものではないことを理解されたい。本明細書で特定されたすべての特許および他の刊行物は、本明細書に完全に記載されているかのように参照により組み込まれる。
【００１２】
洗浄液で洗浄するための例示的なレンズケア容器１０が、図１〜図１２に示される。図示のように、容器１０は、カップ１００、キャップ２０、およびレンズホルダー３０を含む。キャップ２０は、モノリシック構造とすることができる。レンズホルダー３０は、一体構造にすることができる。レンズホルダー３０は、触媒ディスク４０を支持するように図示されている。
【００１３】
図示された容器カップ１００は、リム１０５によって画定される上部開口部を介してアクセス可能な内部チャンバを画定する。内部チャンバは、ある量の洗浄液および／または消毒液を保持する。触媒ディスク４０は、キャップ２０が容器カップ１００内に挿入されると、洗浄液および／または消毒液と相互作用する。
【００１４】
容器カップ１００のリム１０５は、外径を含む。図示のように、接続カラー１０１は、リム１０５から容器カップ１００の外面に沿って延在する。接続カラー１０１は、例えばネジ切りされた固定面を有することができる。図示したように、ネジ山付き接続カラー面１０１は、以下にさらに説明するように、使用中に容器から放出されたガスのための排出チャネルを提供するために、ネジ山なし部分のチャネル１０３を有することができる。ネジ山なしチャネル１０３は、容器カップ１００のリムからねじ山付き面１０１の長さにわたってほぼ直線的に延在することができる。
【００１５】
図示した容器１０はまた、開口部を覆うように容器カップ１００に取り外し可能に取り付けることができるキャップ２０を含む。キャップ２０は、上部パネル２１、連結ハブ２６、およびカラー２４を含む。図示されたカラー２４は、上部パネル２１から横方向に延在する内径を含む。カラー２４の内径は、容器カップ１００のカラー１０１の外径を受け入れるように構成されている。
【００１６】
上部パネル２１は、偏向領域２７内に配置された圧力解放口２３を含む。偏向領域２７は、内部ガス抜き通路３７から窪んだ厚みの薄い環状形状、例えばリングによって画定される。
【００１７】
連結ハブ２６は、上部パネル２１から延在し、回転防止機構４２を有する開口遠位端および少なくとも１つのチャネル通気口２８によって境界を定められた内部ガス抜き通路３７を画定する。図示されているように、キャップ圧力解放口２３は、上部パネル２１を貫通する開口を含む。図示されたキャップ圧力解放口２３の開口部は、キャップ２０の内面から導かれた漏斗状の口２９を含むこともできる。
【００１８】
図示されたレンズホルダー３０は、レンズホルダーに対するキャップ２０の回転を防止するためにキャップ回転防止機構４２と協働する回転防止機構３８を有するステム３３を含む。図示のステム３３はまた、キャップ２０およびレンズホルダー３０が容器カップ１００内に受容された場合に、キャップ圧力解放口２３に密封可能に係合するシール３５を含む。図示されたレンズホルダーシール３５は、ステム３３から延在するドーム３９を含むことができ、ドームは、キャップ圧力解放口２３の開口の内周に密封可能に係合する。図示のレンズホルダーシール３５はまた、ドーム３９を取り囲む面取りリング４１を含むことができる。面取りリング４１は、圧力解放口２３の漏斗状の口２９に密封可能に挿入される。
【００１９】
図５Ａに特に示すように、触媒ディスク４０が容器カップ１００の洗浄液および／または消毒液と相互作用すると、ある量のガスがチャネル通気口２８を通り内部ガス抜き通路３７に入る。この逃げたガスは、キャップ２１の偏向領域２７に外向きの力を加える。特に図５Ｂに示すように、この力の印加は、キャップの頂面２１を撓ませ、レンズホルダーシール３５をキャップ圧力解放口２３から離し、ガスがキャップ圧力解放口を通って排出されることを可能にする。
【００２０】
図示されたレンズホルダーステム３３はまた、少なくとも２つの通路３７を含む。少なくとも２つの通路３７は、少なくとも２つの交差するプレートによって画定することができる。図示のように、少なくとも２つの交差するプレートは、レンズホルダーシール３５を支持する。レンズホルダー３０がキャップ２０に固定されると、ステム３３の少なくとも２つの通路は、ハブ２６内の内部ガス抜き通路３７と整列されて、少なくとも１つのチャネル通気口２８を通るガスの自由な通過を可能にする。
【００２１】
図示のように、キャップ回転防止機構４２は、雄型配向キーを含み、レンズホルダー回転防止機構３８は、キャップ回転防止機構の配向キーを受け入れる雌型レシーバを含む。
【００２２】
図示されているように、キャップ連結ハブ２６は、内部ガス抜き通路３７内に突出するスナップリング３１、例えば隆起部を含むことができる。レンズホルダーステム３３は、スナップリング３１を受け入れるためのスナップ溝４３を含むことができる。
【００２３】
図示のように、レンズホルダー３０は、一対の再配置可能なレンズバスケット３２を含むこともできる。レンズホルダー３０はまた、一対のレンズバスケット３２およびステム３３の間に延びるネック３４を含むことができる。ステム３３はまた、ネック３４およびステム３３の間に延在する半径方向フランジ３６を含む。レンズホルダーの回転防止機構３８は、半径方向フランジ３６内に画定することができる。
【００２４】
図示のように、キャップの上部パネル２１は、カラー２４内に延びるリム壁２５を含むこともできる。容器カップ１００のリム１０５は、キャップカラー２４の内径およびリム壁２５の間に受け入れられる。
【００２５】
開示の特定の実施形態について説明してきたが、多くの他の改変および代替実施形態も本開示の範囲内にある。例えば、特定の装置または部品に関して説明された任意の機能は、別の装置または部品によって実行されてもよい。さらに、特定の装置の特性が記載されているが、本開示の実施形態は、多数の他の装置の特性に関連し得る。さらに、実施形態は、構造的特徴および／または方法論的動作に特有の用語で説明されているが、本開示は必ずしも説明した特定の特徴または動作に限定されないことを理解されたい。むしろ、特定の特徴および動作は、実施形態を実施する例示的な形態として開示されるものである。特に言及されない限り、または使用されている文脈の中で他の方法で理解されない限り、「can」、「could」（ことができる）、「might」または「may」（してもよい）などの条件付き言語は、特定の実施形態では特定の特徴、要素、および／またはステップを含むが、他の実施形態では含まないことがあることを意図している。したがって、このような条件付き言語は、特徴、要素、および／またはステップが、１つまたは複数の実施形態のために何らかの形で必要とされることを一般に意味するものではない。
【符号の説明】
【００２６】
１０  レンズケア容器
２０  キャップ
２１  上部パネル
２３  圧力解放口
２４  カラー
２５  リム壁
２６  連結ハブ
２７  偏向領域
２８  チャネル通気口
３０  レンズホルダー
３１  スナップリング
３２  レンズバスケット
３３  ステム
３４  ネック
３５  シール
３６  半径方向フランジ
３７  内部ガス抜き通路
３８  回転防止機構
３９  ドーム
４０  触媒ディスク
４１  リング
４２  回転防止機構
４３  スナップ溝
【図１】
0006385594.tif 000002
【図２】
0006385594.tif 000003
【図３】
0006385594.tif 000004
【図４】
0006385594.tif 000005
【図５Ａ】
0006385594.tif 000006
【図５Ｂ】
0006385594.tif 000007
【図６】
0006385594.tif 000008
【図７】
0006385594.tif 000009
【図８】
0006385594.tif 000010
【図９】
0006385594.tif 000011
【図１０】
0006385594.tif 000012
【図１１】
0006385594.tif 000013
【図１２】
0006385594.tif 000014